(57)【特許請求の範囲】
【請求項１】
被検眼の角膜に対向されて該角膜にエアーを吹き付けて変形させるための噴射ノズルと、該噴射ノズルの噴射口側に配設されるカバーガラスと、該ノズルの後方に配設されてエアー噴射装置の一部を形成するチャンバー窓ガラスと、前記角膜に対する装置本体のＸＹ方向のアライメントを行うために前記噴射ノズルの内部を通して前記角膜にアライメント検出光を投影するＸＹアライメント検出光投影手段と、前記角膜からのアライメント反射光を前記噴射ノズルの軸線方向から前記チャンバー窓ガラスを介して受光するＸＹアライメント反射光受光手段と、前記角膜に対する装置本体のＺ方向のアライメントを行うために前記噴射ノズルの軸線方向に対して斜め方向から前記カバーガラスを介して前記角膜に向けてアライメント検出光を投影するＺアライメント検出光投影手段と、該Ｚアライメント検出光投影手段とは前記軸線方向を境にして反対側に設けられかつ前記角膜により反射されたアライメント反射光を前記カバーガラスを介して受光するＺアライメント反射光受光手段と、前記角膜の代わりに前記噴射ノズルに対向して設置された球面反射部材から反射された各アライメント反射光受光手段の受光出力に基づき前記角膜からのアライメント反射光量を演算する演算手段と、該演算手段の演算結果に基づき前記チャンバー窓ガラスの汚れ具合と前記カバーガラスの汚れ具合とを表示する表示手段とを有していることを特徴とする非接触式眼圧計。
【請求項２】
前記球面反射部材に対して前記装置本体のＸＹＺ方向のアライメントを行って前記チャンバー窓ガラス及び前記カバーガラスの汚れ検知を行うことを特徴とする請求項１に記載の非接触式眼圧計。
【請求項３】
前記球面反射部材は反射率が既知の模型眼であることを特徴とする請求項１に記載の非接触式眼圧計。
【請求項４】
非接触式眼圧計のチャンバー窓ガラスの汚れ具合とカバーガラスの汚れ具合とをアライメント検出光を用いて検知するのに用いられる模型眼装置であって、前記非接触式眼圧計の顎受け部に取り付けられるベースと、該ベースから直立されて前記アライメント検出光を球面反射する球面反射部材が取り付けられた支柱とを有することを特徴とする模型眼装置。
【発明の詳細な説明】
【０００１】
【発明の属する技術分野】
本発明は、エアー噴射装置のチャンバー窓ガラス、カバーガラスの汚れを検知する非接触式眼圧計及びその汚れ検知に用いる模型眼装置に関する。
【０００２】
【従来の技術】
従来から、非接触式眼圧計には、被検眼の角膜に対向されてこの角膜にエアーを吹き付けて変形させるためのエアー噴射装置と、角膜に対する装置本体のＸＹ方向のアライメントを行うためにエアー噴射装置の噴射ノズルの軸線方向から角膜にアライメント検出光を投影するアライメント検出光投影手段と、角膜からのアライメント反射光を噴射ノズルの軸線方向から受光するアライメント反射光受光手段とを備えたものが知られている。
【０００３】
この従来の非接触式眼圧計には、噴射ノズルと同軸の対物レンズの汚れを検知するために、対物レンズをカバーするレンズキャップの内面に反射板が設けられ、この反射板にアライメント検出光としての赤外光を照射して、この反射板による赤外反射光を受光して、その受光出力に基づき対物レンズの汚れを検出する構成となっている（特公平２−１２０８６号公報参照）。
【０００４】
【発明が解決しようとする課題】
しかしながら、この従来の非接触式眼圧計は、反射板による赤外光の平面反射を利用する構成であるので、反射板のレンズキャップへの取り付け角度が傾いていると、噴射ノズルの軸線方向に対する反射板の姿勢が傾くこととなり、赤外光の反射方向が噴射ノズルの軸線方向に対する反射板の姿勢が傾いていないときの反射方向からずれることとなって、正確に対物レンズの汚れを検知できないという不都合がある。
【０００５】
また、非接触式眼圧計には、被検眼の角膜に対向されて角膜にエアーを吹き付けて変形させるための噴射ノズルと、角膜に対する装置本体のＸＹ方向のアライメントを行うために噴射ノズルの内部を通して角膜にアライメント検出光を投影するＸＹアライメント検出光投影手段と、角膜からのアライメント反射光を噴射ノズルの軸線方向からエアー噴射装置のチャンバー窓ガラスを介して受光するＸＹアライメント反射光受光手段と、角膜に対する装置本体のＺ方向のアライメントを行うために噴射ノズルの軸線方向に対して斜め方向から噴射装置のカバーガラスを介して角膜に向けてアライメント検出光を投影するＺアライメント検出光投影手段と、Ｚアライメント検出光投影手段とは軸線方向を境にして反対側に設けられかつ角膜により反射されたアライメント反射光をカバーガラスを介して受光するＺアライメント反射光受光手段とを備えたものも知られているが、カバーガラスが汚れているのか、チャンバーガラスが汚れているかを適宜に判断して、エアー噴射装置を分解清掃できるようにするのが望ましい。
【０００６】
本発明は、上記の事情に鑑みて為されたもので、その目的とするところは、簡便な構成でかつ正確にチャンバー窓ガラス、カバーガラスの汚れを検知することのできる非接触式眼圧計及びその汚れ検知に用いられる模型眼装置を提供することにある。
【０００７】
【課題を解決するための手段】
請求項１に記載の非接触式眼圧計は、被検眼の角膜に対向されて該角膜にエアーを吹き付けて変形させるための噴射ノズルと、該噴射ノズルの噴射口側に配設されるカバーガラスと、該ノズルの後方に配設されてエアー噴射装置の一部を形成するチャンバー窓ガラスと、前記角膜に対する装置本体のＸＹ方向のアライメントを行うために前記噴射ノズルの内部を通して前記角膜にアライメント検出光を投影するＸＹアライメント検出光投影手段と、前記角膜からのアライメント反射光を前記噴射ノズルの軸線方向から前記チャンバー窓ガラスを介して受光するＸＹアライメント反射光受光手段と、前記角膜に対する装置本体のＺ方向のアライメントを行うために前記噴射ノズルの軸線方向に対して斜め方向から前記カバーガラスを介して前記角膜に向けてアライメント検出光を投影するＺアライメント検出光投影手段と、該Ｚアライメント検出光投影手段とは前記軸線方向を境にして反対側に設けられかつ前記角膜により反射されたアライメント反射光を前記カバーガラスを介して受光するＺアライメント反射光受光手段と、前記角膜の代わりに前記噴射ノズルに対向して設置された球面反射部材から反射された各アライメント反射光受光手段の受光出力に基づき前記角膜からのアライメント反射光量を演算する演算手段と、該演算手段の演算結果に基づき前記チャンバー窓ガラスの汚れ具合と前記カバーガラスの汚れ具合とを表示する表示手段とを有していることを特徴とする 。
【０００８】
請求項２に記載の非接触式眼圧計は、前記球面反射部材に対して前記装置本体のＸＹＺ方向のアライメントを行って前記チャンバー窓ガラス及び前記カバーガラスの汚れ検知を行うことを特徴とする。
【０００９】
請求項３に記載の非接触式眼圧計は、前記球面反射部材は反射率が既知の模型眼であることを特徴とする。
【００１０】
請求項４に記載の非接触式眼圧計は、非接触式眼圧計のチャンバー窓ガラスの汚れ具合とカバーガラスの汚れ具合とをアライメント検出光を用いて検知するのに用いられる模型眼装置であって、前記非接触式眼圧計の顎受け部に取り付けられるベースと、該ベースから直立されて前記アライメント検出光を球面反射する球面反射部材が取り付けられた支柱とを有することを特徴とする。
【００１１】
【発明の実施の形態】
図１は本発明に係わる眼科装置の全体構成を示す側面図で、図２は本発明に係わる眼科装置の平面図であり、１００は電源が内蔵されたベースである。
【００１２】
ベース１００の上部には、架台１０１がコントロールレバー１０２の操作により前後左右移動可能に設けられている。コントロールレバー１０２には手動スイッチ１０３が設けられ、この手動スイッチ１０３はアライメントを手動で行う手動モードのときに用いられる。また、このベース１００には、眼圧測定モードと汚れ検知モードとを切り替えるモード切替スイッチ１０３Ａが設けられている。
【００１３】
架台１０１の上部にはモータ１０４、支柱１０５が設けられている。モータ１０４と支柱１０５とは図示を略すピニオン・ラックにより結合され、支柱１０５はモータ１０４によって上下方向（Ｙ方向）に移動される。支柱１０５の上端にはテーブル１０６が設けられている。
【００１４】
テーブル１０６には支柱１０７、モータ１０８が設けられている。支柱１０７の上端にはテーブル１０９が摺動可能に設けられている。テーブル１０９の後端には、図２に示すようにラック１１０が設けられている。モータ１０８の出力軸にはピニオン１１１が設けられ、ピニオン１１１はラック１１０に噛み合わされている。
【００１５】
また、テーブル１０９の上部にはモータ１１２と支柱１１３とが設けられている。モータ１１２の出力軸にはピニオン１１４が設けられている。支柱１１３の上部には装置本体ケース１１５が摺動可能に設けられている。装置本体Ｓの側部にはラック１１６が設けられている。ラック１１６はピニオン１１４と噛み合わされている。
【００１６】
装置本体Ｓの内部には、後述する光学系と後述する制御回路とが収納され、モータ１０４、１０８、１１２は、後述する制御回路から出力される制御信号によって制御される。装置本体Ｓは、モータ１０４の制御信号によりＹ方向に駆動され、モータ１０８の制御信号によりＸ方向に駆動され、モータ１１２の制御信号により、Ｚ方向に駆動される。
【００１７】
その図１において、１１６は被検者の顔を固定する顎受けである。この顎受け１１６は顎受けベース１１７、顎受け台１１８、一対の額当て支柱１１９を有する。その一対の額当て支柱１１９には額当て１２０が掛け渡されている。その顎受け台１１８は顎受け台昇降ノブ１２１によって上下動可能とされ、顎受け台１１８には保持ピン１２２が設けられている。その保持ピン１２２は顎受け紙（図示を略す）を保持する役割を果たす。被検者はその顔を顎受け台１１８に載せ、その額を額当て１２０に当てることによって、顔が顎受け１１６に固定される。
【００１８】
その際、顎受け紙は、衛生を確保する理由から、顎受け台１１８に直に顎が当たらないように、顎受け台１１８に保持ピン１２２を利用して固定される。
【００１９】
装置本体Ｓは、図３、図４に示すように、被検眼Ｅの前眼部を観察する前眼部観察系１、ＸＹ方向のアライメント検出と角膜変形検出とに用いられるアライメント検出光を被検眼Ｅの角膜Ｃに投影するＸＹアライメント検出光投影系２、被検眼Ｅに固視標を提示する固視標投影系３、ＸＹアライメント検出光の角膜Ｃによる反射光を受光して装置本体Ｓと角膜ＣのＸＹ方向の位置関係を検出するＸＹアライメント反射光受光光学系４、ＸＹアライメント検出光の角膜Ｃによる反射光を受光して角膜Ｃの変形量を検出する角膜変形検出光学系５、角膜Ｃに斜めからＺ方向のアライメント検出光を投影するＺアライメント検出光投影光学系６、Ｚアライメント検出光の角膜Ｃによる反射光を前眼部観察光学系１の光軸Ｏ１に関して対称な方向から受光しかつ装置本体Ｓと角膜ＣのＺ方向の位置関係を検出するＺアライメント反射光受光光学系７を備えている。
【００２０】
カバーガラス９はエアー噴射装置１０の前方に設けられて噴射ノズル１１を支持している。チャンバー窓ガラス１３はエアー噴射装置１０の一部を構成し、噴射ノズル１１の後方に設けられている。
【００２１】
前眼部観察光学系１は、被検眼Ｅの左右に位置して前眼部をダイレクトに照明する複数個の前眼部照明光源８、カバーガラス９、エアー噴射装置１０の噴射ノズル１１、支持ガラス１２、チャンバー窓ガラス１３、ハーフミラー１４、対物レンズ１５、ハーフミラー１６、１７、ＣＣＤカメラ１８を備えている。
【００２２】
被検眼Ｅの前眼部像を形成する光束は、カバーガラス９、噴射ノズル１１の内外を通り、支持ガラス１２、チャンバー窓ガラス１３、ハーフミラー１４を透過し、対物レンズ１５により集束されつつハーフミラー１６、１７を透過してＣＣＤカメラ１８に導かれ、前眼部像がＣＣＤカメラ１８に結像される。
【００２３】
ＸＹアライメント検出光投影光学系２は、赤外光を出射するＸＹアライメント用の光源１９、集光レンズ２０、開口絞り２１、ピンホール板２２、ダイクロイックミラー２３、投影レンズ２４を有し、光学系の一部は前眼部観察光学系１と共用されている。投影レンズ２４の焦点はピンホール板２２に位置し、開口絞り２１は投影レンズ２４に関して角膜頂点Ｐと共役である。
【００２４】
光源１９の赤外光は、集光レンズ２０、開口絞り２１、ピンホール板２２、ダイクロイックミラー２３に導かれ、このダイクロイックミラー２３によって反射され、投影レンズ２４によって平行光束とされる。この平行光束は、ハーフミラー１４で反射され、チャンバー窓ガラス１３を透過し、噴射ノズル１１の内部を通過し、図５に示すように、ＸＹアライメント検出光Ｋとして角膜Ｃに導かれる。図５に示すように、ＸＹアライメント検出光Ｋは、角膜Ｃの頂点Ｐと角膜Ｃの曲率中心との中間位置に輝点像Ｒを形成するようにして角膜表面Ｔで反射される。
【００２５】
固視標光学系３は、可視光を出射する固視標用の光源２５、ピンホール板２６を有し、その光学系の一部が前眼部観察光学系１に共用され、固視標光学系３の光軸とＸＹアライメント検出光投影光学系２の光軸とはダイクロイックミラー２３によって合致されている。
【００２６】
光源２５から出射された固視標光は、ピンホール板２６、ダイクロイックミラー２３を経て、投影レンズ２４により平行光とされ、ハーフミラー１４、チャンバー窓ガラス１３を介して噴射ノズル１１に導かれ、この噴射ノズル１１の内部を通過して被検眼Ｅに導かれる。被検者はその固視標を注視することにより視線が固定される。
【００２７】
ＸＹアライメント反射光受光光学系４は、ハーフミラー１７、センサ２７、ＸＹアライメント検出回路２８を有し、その光学系の一部が、前眼部観察光学系１と共用されている。
【００２８】
角膜Ｃの表面Ｔで反射された反射光束は、噴射ノズル１１の内部を通りチャンバー窓ガラス１３、ハーフミラー１４、対物レンズ１５を経由して収束光としてハーフミラー１６に導かれ、その一部がこのハーフミラー１６により反射され、その残りが透過されて、ハーフミラー１７に導かれ、ハーフミラー１７はその収束光の一部を反射し、残りを透過する。
【００２９】
ハーフミラー１７により反射された光束はセンサ２７上に輝点像Ｒ１’を形成する。センサ２７はＰＳＤ等の位置検出可能な受光センサである。ＸＹアライメント検出回路２８は、センサ２７の出力に基づき、装置本体Ｓと角膜Ｃとの位置関係（ＸＹ方向）を公知の手段によって演算し、その演算結果を制御回路２９に出力する。
【００３０】
ハーフミラー１７を透過した光束は、ＣＣＤカメラ１８上に輝点像Ｒ２’を形成する。ＣＣＤカメラ１８はモニタ装置に画像信号を出力し、図６に示すように、被検眼Ｅの前眼部像Ｅ’、ＸＹアライメント反射光の輝点像Ｒ２’がモニタ装置の画面３０に表示される。なお、３１は図示を略す画像生成手段によって生成されたアライメント補助マークである。
【００３１】
ハーフミラー１６によって反射された光束は、角膜変形検出光学系５に導かれ、ピンホール板３２を通過してセンサ３３に導かれる。センサ３３はフォトダイオード等の光量検出可能な受光センサである。
【００３２】
Ｚアライメント検出光投影光学系６は、赤外光を出射するＺアライメント用の光源３４、集光レンズ３５、開口絞り３６、ピンホール板３７、投影レンズ３８、Ｏ２はその光軸である。投影レンズ３８はその焦点がピンホール板３７に位置している。また、開口絞り３６は投影レンズ３８に関して角膜頂点Ｐと共役な位置に設けられている。
【００３３】
光源３４の赤外光は、集光レンズ３５、開口絞り３６、ピンホール板３７、投影レンズ３８、カバーガラス９を通って平行光束として角膜Ｃに導かれ、図７に示すように、輝点像Ｑを形成するようにして角膜表面Ｔにおいて反射される。
【００３４】
Ｚアライメント反射光受光光学系７は、結像レンズ３９、Ｙ方向にパワーを有するシリンドリカルレンズ４０、センサ４１を有し、Ｏ３はその光軸である。センサ４１の出力はＺアライメント検出回路４２に入力されている。
【００３５】
Ｚアライメント検出光の角膜表面Ｔからの反射光束は、結像レンズ３９によって集束されつつシリンドリカルレンズ４０に導かれ、このシリンドリカルレンズ４０によってセンサ４１上に輝点像Ｑ’が形成される。センサ４１はラインセンサ、ＰＳＤ等の位置検出可能な受光センサである。センサ４１の出力は制御回路２９に入力される。
【００３６】
検者は、眼圧を測定する場合でかつ手動モードのときには、図６に示すモニタ画面で、前眼部像Ｅ’を観察しながら、輝点像Ｒ２’がアライメント補助マーク３１の中に入り、かつ、ピントが合うように装置本体ＳをＸＹＺ方向に移動させて、アライメント調整を行う。また、自動モードのときには、制御回路２９によって自動的に角膜Ｃに対して装置本体Ｓがアライメントされるように各モータ１０４、１０８、１１２が駆動制御される。
【００３７】
そして、ＸＹアライメント検出回路２８、Ｚアライメント検出回路４２の出力が所定範囲に入ったとき、制御回路２９の制御信号によりエアー噴射装置１０が作動され、噴射ノズル１１から角膜Ｃに向けてエアーを噴射し、このときの角膜変形量が角膜変形検出光学系５によって検出され、これによって、噴射圧から被検眼Ｅの眼圧値が求められる。
【００３８】
カバーガラス９、チャンバー窓ガラス１３の汚れを検出するときには、モード切替スイッチを汚れ検知モード１０３Ａに切り替え、図８に示す模型眼装置１２３を用いる。
【００３９】
ＸＹアライメント検出回路２８は、モード切替スイッチ１０３Ａにより、センサ２７の受光出力に基づき装置本体Ｓと角膜Ｃとの位置関係を演算する演算モードから、センサ２７の受光出力に基づきＸＹアライメント検出光の反射光量を演算する演算モードに切り替えられ、ＸＹアライメント検出回路２８は、チャンバー窓ガラス１３が汚れていないとしたときに受光される基準光量と実際の反射光量とに基づき反射光量の割合を演算する演算手段として機能する。
【００４０】
同様に、Ｚアライメント検出回路４２は、モード切替スイッチ１０３Ａにより、センサ４１の受光出力に基づき装置本体Ｓと角膜Ｃとの位置関係を演算する演算モードから、センサ４１の受光出力に基づきＺアライメント検出光の反射光量を演算する演算モードに切り替えられ、Ｚアライメント検出回路４２は、カバーガラス９が汚れていないとしたときに受光される基準光量と実際の反射光量とに基づき反射光量の割合を演算する演算手段として機能する。
【００４１】
模型眼装置１２３は、ベース１２４、このベース１２４に直立の支柱１２５を有し、支柱１２５の上部には球面反射部材としてのガラス球１２６が取り付けられている。ベース１２４には、保持ピン１２２に嵌合される嵌合孔１２７が設けられている。そのガラス球１２６は、角膜Ｃとほぼ同じ反射率を有し、少なくとも中心付近は角膜Ｃとほぼ同じ曲率となっている。
【００４２】
この模型眼装置１２３は、チャンバー窓ガラス１３の汚れ、カバーガラス９の汚れを検出する際に、保持ピン１２２を用いて顎受け台１１８に固定される。
【００４３】
検者は、コントロールレバー１０２を用いて架台１０１を操作し、ガラス球１２６に対する装置本体Ｓのアライメントを行う。
【００４４】
手動モードのときには、手動でアライメントを行った後、モード切替えスイッチ１０３Ａを汚れ検知モードに切り替える。
【００４５】
自動モードのときには、装置本体Ｓがガラス球１２６に対して所定の位置関係になると、制御回路２９がモータ１０４、１０８、１１２に停止信号を送り、ガラス球１２６に対するアライメントが完了する。このアライメント完了時点で、モード切替えスイッチ１０３Ａを検知モードに切り替える。
【００４６】
これによって、各アライメント検出回路によって反射光量の演算が実行され、モニター装置の画面３１に、図９に示すように、センサ２７の出力レベルとセンサ４１の出力光量レベルとしての割合が表示される。ここでは、基準光量に対する受光量の割合が百分率で表示され、センサ２７の受光量からチャンバー窓ガラス１３の清浄度合いが表示され、センサ４１の受光量からカバーガラス９の清浄度合いが表示される。
【００４７】
【発明の効果】
本発明は、以上説明したように構成したので、簡便な構成でかつ正確にチャンバー窓ガラス、カバーガラスの汚れを検知することができる。
【図面の簡単な説明】
【図１】  本発明に係わる眼科装置の全体構成を示す側面図である。
【図２】  本発明に係わる眼科装置の概略構成を平面図である。
【図３】  本発明に係わる眼科装置の光学系の要部構成を示す平面図である。
【図４】  本発明に係わる眼科装置の光学系の要部構成を示す側面図である。
【図５】  角膜に正面から照射されたアライメント光束の反射を説明するための図である。
【図６】  モニター装置の画面に表示された前眼部像の説明図である。
【図７】  角膜に斜め方向から照射されたアライメント光束の反射を説明するための図である。
【図８】  本発明に係わる模型眼装置の正面図である。
【図９】  モニター装置の画面に表示された光学部材の清浄度の一例を示す説明図である。
【符号の説明】
２…ＸＹアライメント検出光投影手段
４…ＸＹアライメント反射光受光手段
６…Ｚアライメント光投影手段
７…Ｚアライメント光受光手段
９…カバーガラス
１０…エアー噴射装置
１１…噴射ノズル
１３…チャンバー窓ガラス
３１…モニター装置（表示手段）
１２６…球面反射部材
Ｃ…角膜
Ｅ…被検眼
Ｓ…装置本体
【図１】
0004531225.tif 000002
【図２】
0004531225.tif 000003
【図３】
0004531225.tif 000004
【図４】
0004531225.tif 000005
【図５】
0004531225.tif 000006
【図６】
0004531225.tif 000007
【図７】
0004531225.tif 000008
【図８】
0004531225.tif 000009
【図９】
0004531225.tif 000010